(57)【特許請求の範囲】
【請求項１】
地図データを記憶する地図データ記憶手段と、
ユーザからの情報入力を行うための操作手段と、
前記地図データに基づき、前記操作手段を介して選択された地点の座標情報を記憶することにより、当該地点をメモリ地点として登録するメモリ地点登録手段と、
前記メモリ地点が地図上に表示される際に当該メモリ地点の周辺に対応付けて表示される名称の情報である名称情報を、前記メモリ地点に関連付けて記憶可能な名称情報記憶手段と、
前記操作手段を介して前記メモリ地点の位置変更が指示されると、前記地図データに基づき前記座標情報を変更することにより、前記メモリ地点の位置を変更するメモリ地点位置変更手段とを備えた地図表示装置であって、
前記名称情報記憶手段は、
特定条件にて検索された地点が前記メモリ地点登録手段にて登録される際、前記地図データに基づき、当該地点に対応する名称情報を自動的に記憶するようになっており、
さらに、前記メモリ地点位置変更手段にて前記メモリ地点の位置が変更される際、前記名称情報が前記操作手段を介して入力されたものである場合は当該名称情報を承継し、一方、前記名称情報が前記地図データに基づいて自動的に記憶されたものである場合は当該名称情報を変更すること
を特徴とする地図表示装置。
【請求項２】
請求項１に記載の地図表示装置において、
前記名称情報記憶手段は、前記名称情報を削除することによって、前記名称情報を変更することを特徴とする地図表示装置。
【請求項３】
請求項１または２に記載の地図表示装置において、
前記名称情報記憶手段は、変更先の座標情報に基づき前記地図データを参照することで変更先の地点に対応する名称情報があれば当該名称情報を自動的に記憶することによって、前記名称情報を変更することを特徴とする地図表示装置。
【請求項４】
地図データに基づき、操作手段を介して選択された地点の座標情報を記憶することにより、当該地点をメモリ地点として登録するメモリ地点登録処理と、
前記メモリ地点が地図上に表示される際に当該メモリ地点の周辺に対応付けて表示される名称の情報である名称情報を、メモリ地点に関連付けて記憶可能な名称情報記憶処理と、
操作手段を介して前記メモリ地点の位置変更が指示されると、前記地図データに基づき前記座標情報を変更することにより、前記メモリ地点の位置を変更するメモリ地点位置変更処理とを含むプログラムであって、
前記名称情報記憶処理は、
特定条件にて検索された地点が前記メモリ地点登録処理にて登録される際、地図データに基づき、当該地点に対応する名称情報を自動的に記憶する処理を含み、
さらに、前記メモリ地点位置変更処理にて前記メモリ地点の位置が変更される際、前記名称情報が操作手段を介して入力されたものである場合は当該名称情報を承継し、一方、前記名称情報が地図データに基づいて自動的に記憶されたものである場合は当該名称情報を変更する処理を含むこと
を特徴とするプログラム。
【発明の詳細な説明】
【技術分野】
【０００１】
本発明は、地図表示装置に関し、特に地図上で登録される地点であるメモリ地点の位置を変更可能な地図表示装置に関する。
【背景技術】
【０００２】
ＧＰＳ等により位置を検出し、現在地から目的地までの適切な経路を演算して求め、さらに、その経路の案内を行うナビゲーション装置が知られている。このようなナビゲーション装置では、カラーディスプレイ装置などの表示装置を備えるのが一般的であり、その表示画面には、車両位置を示す現在地マークと、地図データに基づき描画される地図と、さらに演算された経路を示す誘導経路などの情報が重ねて表示される。
【０００３】
ところで、上述した経路を求めるためには、目的地を設定することが必要となる。目的地として設定対象となる地点は、種々の条件によって検索可能となっている。例えば、「遊園地」といったジャンルを選択することにより、遊園地が検索される。検索結果は上述の表示装置に現在地に近い順番でリスト表示されるようになっており、このリストから選択することにより、検索された遊園地の中から目的地を設定できるようになっている。
【０００４】
そして、従来、このような目的地の設定等を容易にするため、地図上の地点を登録することにより、次回からその登録地点（以下「メモリ地点」という）を利用できるようにしたナビゲーション装置が知られている。例えば、検索された遊園地をメモリ地点として登録しておくことにより、次回から、このメモリ地点を参照して、その遊園地を容易に目的地に設定できる。
【０００５】
また、登録したメモリ地点の位置を、その後、変更できるナビゲーション装置もある（例えば、特許文献１参照）。このナビゲーション装置では、さらに、メモリ地点に対応させて地図上にメモリ地点の名称を表示できるように、メモリ地点に関連する名称の情報（以下、「名称情報」という）を記憶できるようになっている。
【０００６】
【特許文献１】特開平８−９４３７８号公報
【発明の開示】
【発明が解決しようとする課題】
【０００７】
上記特許文献１にはメモリ地点の位置変更を行うときにメモリ地点の名称を変更する技術が開示されているが、これは、メモリ地点の地図上での移動距離が所定距離以上になった場合に名称を変更するというものである。
しかしながら、例えばメモリ地点の名称をそこに住んでいる知人の名前にしたときでその知人が引越しをした場合等、メモリ地点の移動距離が所定距離以上になった場合でも、メモリ地点の名称を変更したくない場合があり得る。反対に、メモリ地点の移動距離が所定距離より小さいときでも、メモリ地点の名称を変更したい場合があり得る。つまり、メモリ地点の名称を変更するか否かをメモリ地点の移動距離だけで判断すると、名称の承継／変更がユーザの意図にそぐわないものとなるおそれがある。
【０００８】
また、従来技術では、例えばジャンル等の特定条件で検索された地点をメモリ地点として登録すると、名称情報としての名称が自動的に記憶されるのが一般的である。このように自動的に設定された名称は、施設名称などであり、当該地点に関連するものである。そのため、メモリ地点を移動させた場合、当該メモリ地点の名称を変更したい場合が多い。
【０００９】
しかしながら、従来技術では、このように自動的に設定された名称をそのまま一律に承継するようになっており、この点においても、名称の承継がユーザの意図にそぐわないものとなるおそれがある。
なお、ここではナビゲーション装置を例に挙げて説明したが、上述した課題は、ナビゲーション装置だけに限られず、地点登録を行うことが可能な地図表示機能を備える装置に内在するものである。
【００１０】
本発明は、上述した課題を解決するためになされたものであり、その目的は、登録されたメモリ地点の位置を変更する場合に、メモリ地点に対応付けられる名称情報を適切なものとし、ユーザが違和感を抱くことを抑制可能な地図表示装置を提供することにある。
【課題を解決するための手段】
【００１１】
本発明の地図表示装置は、地図データを記憶する地図データ記憶手段と、ユーザからの情報入力を行うための操作手段と、地図データに基づき、操作手段を介して選択された地点の座標情報を記憶することにより、当該地点をメモリ地点として登録するメモリ地点登録手段と、メモリ地点が地図上に表示される際に当該メモリ地点の周辺に対応付けて表示される名称の情報である名称情報を、メモリ地点に関連付けて記憶可能な名称情報記憶手段と、操作手段を介してメモリ地点の位置変更が指示されると、地図データに基づき座標情報を変更することにより、メモリ地点の位置を変更するメモリ地点位置変更手段とを備えた地図表示装置であって、名称情報記憶手段は、特定条件にて検索された地点がメモリ地点登録手段にて登録される際、地図データに基づき、当該地点に対応する名称情報を自動的に記憶するようになっており、さらに、メモリ地点位置変更手段にてメモリ地点の位置が変更される際、名称情報が操作手段を介して入力されたものである場合は当該名称情報を承継し、一方、名称情報が地図データに基づいて自動的に記憶されたものである場合は当該名称情報を変更することを特徴とする。
【００１２】
つまり、名称情報がユーザによって入力されたものである場合には、メモリ地点の変更に際し、その名称情報をそのまま用いるのである。この思想は、ユーザがメモリ地点に対して入力する情報は地図上の位置（座標情報）に依存しない情報である蓋然性が高い、ということに着目したものである。また、名称情報が地図データに基づいて自動的に記憶されたものである場合は、当該名称情報を変更する。地図データに基づく名称情報は、地図上の位置（座標情報）に依存する情報だからである。このようにすれば、登録されたメモリ地点の位置を変更する場合に、メモリ地点に対応付けられる名称情報が適切なものとなり、ユーザが違和感を抱くことを抑制できる。
【００１３】
ところで、名称情報を変更する場合、名称情報を削除することとしてもよい。また、変更先の座標情報に基づき地図データを参照することで変更先の地点に対応する名称情報を自動的に記憶することとしてもよい。
【００１４】
なお、以上は地図表示装置の発明として説明してきたが、本発明はメモリ地点位置変更の機能に特徴を有するものであるため、プログラムの発明として実現してもよい。
すなわち、本発明のプログラムは、地図データに基づき、操作手段を介して選択された地点の座標情報を記憶することにより、当該地点をメモリ地点として登録するメモリ地点登録処理と、メモリ地点が地図上に表示される際に当該メモリ地点の周辺に対応付けて表示される名称の情報である名称情報を、メモリ地点に関連付けて記憶可能な名称情報記憶処理と、操作手段を介してメモリ地点の位置変更が指示されると、地図データに基づき座標情報を変更することにより、メモリ地点の位置を変更するメモリ地点位置変更処理とを含むプログラムであって、名称情報記憶処理は、特定条件にて検索された地点がメモリ地点登録処理にて登録される際、地図データに基づき、当該地点に対応する名称情報を自動的に記憶する処理を含み、さらに、メモリ地点位置変更処理にてメモリ地点の位置が変更される際、名称情報が操作手段を介して入力されたものである場合は当該名称情報を承継し、一方、名称情報が地図データに基づいて自動的に記憶されたものである場合は当該名称情報を変更する処理を含むことを特徴とする。
【発明を実施するための最良の形態】
【００１５】
以下、本発明の実施形態を、図面に基づいて説明する。本実施形態は、本発明の地図表示装置を車載用ナビゲーション装置に適用したものである。
図１は、本実施形態の車載用ナビゲーション装置１の全体構成を示すブロック図である。車載用ナビゲーション装置１は、制御部１０を中心に構成されており、この制御部１０に接続される位置検出器２０、地図データ記憶部３０、操作スイッチ群４０、描画部５０、及び音声出力部６０を備えている。なお、制御部１０は通常のコンピュータとして構成されており、内部には、ＣＰＵ、ＲＯＭ、ＲＡＭ、Ｉ／Ｏおよびこれらの構成を接続するバスラインなどが備えられている。また、描画部５０には、ディスプレイ５０ａが電気的に接続されており、音声出力部６０には、スピーカ６０ａが電気的に接続されている。
【００１６】
位置検出器２０は、いずれも周知の地磁気センサ２１、ジャイロスコープ２２、距離センサ２３、及び衛星からの電波に基づいて車両の位置を検出するＧＰＳ（Ｇｌｏｂａｌ  Ｐｏｓｉｔｉｏｎｉｎｇ  Ｓｙｓｔｅｍ）受信機２４を有している。これらセンサ等２１〜２４は、各々が性質の異なる誤差を持っているため、相互に補完しながら使用される。
【００１７】
地図データ記憶部３０は、位置検出の精度向上のためのいわゆるマップマッチング用データ及び地図データを記憶している。また、地図データには、施設の名称、住所および電話番号といった施設情報が含まれる。地図データ記憶部３０は、ハードディスク装置（ＨＤＤ）で構成されている。なお、本実施形態では、ＨＤＤを用いたが、ＤＶＤ−ＲＯＭや、メモリカード等の他の媒体を用いても差し支えない。
【００１８】
操作スイッチ群４０は、ディスプレイ５０ａと一体になったタッチスイッチもしくはメカニカルなスイッチやリモコン装置等で構成され、各種入力に使用される。
描画部５０には、上述したようにディスプレイ５０ａが接続されている。ディスプレイ５０ａは、液晶やＣＲＴを用いたカラーディスプレイである。このディスプレイ５０ａを介して情報表示が行われる。
【００１９】
音声出力部６０にはスピーカ６０ａが接続されており、このスピーカ６０ａを介して音声による案内が行われる。
次に、図２に示すフローチャートに基づき、ナビゲーション機能について説明する。
最初のステップＳ１（以下、「ステップ」を省略し、単に記号「Ｓ」で示す）では、車両の現在位置を検出する。この処理は、位置検出器２０から入力される情報に基づいて行われる。現在位置の検出は、経路案内における出発地の確定を意味する。検出された現在位置は、現在地マークとして地図上に表示される。
【００２０】
次のＳ２では、目的地の検索および設定が行われる。この処理は、操作スイッチ群４０を介して、目的地の検索および設定を行うものである。目的地の検索では、検索条件が入力されることにより、地図データ記憶部３０の地図データが参照され施設情報が検索されることにより、当該検索条件に合った目的地のリストがディスプレイ５０ａに表示される。例えば「遊園地」という検索条件が入力されることにより、現在位置に近い順に、遊園地のリストが表示されるという具合である。そして、このようなリストからの選択操作を行うことにより、目的地が設定される。具体的には、リストの選択操作を行うと、選択した地点がカーソルの中心となるように地図が表示されるようになっており、所定操作をすることによって、当該地点が目的地として設定される。
【００２１】
続くＳ３では、経路探索を行う。この処理は、現在地から目的地までの最適な経路を自動的に選択するものであり、いわゆる誘導経路を形成するものである。このような最適な経路の探索は、ダイクストラ法等の手法で実現される。
次のＳ４では、経路案内および表示を行う。この処理は、形成された誘導経路をディスプレイ５０ａに表示すると共に、車両の走行状況に応じて制御部１０により、スピーカ６０ａを介して、ルート案内を主としたガイダンス音声を出力するものである。
【００２２】
ところで、上記Ｓ２における目的地の設定を容易にする等の目的で、本実施形態では、地図上の地点をメモリ地点として登録可能となっている。そこで次に、メモリ地点登録処理について、図３に基づき説明する。
図３は、メモリ地点登録処理を示すフローチャートである。最初のＳ１００では、検索条件が入力されたか否かを判断する。ここで検索条件が入力されたと判断された場合（Ｓ１００：ＹＥＳ）、Ｓ１０１へ移行する。一方、検索条件が入力されないうちは（Ｓ１００：ＮＯ）、Ｓ１００の判断処理を繰り返す。
【００２３】
Ｓ１０１では、検索結果を表示する。目的地検索と同様、地図データ記憶部３０の地図データ中の施設情報が検索される。したがって、この処理は、検索条件に合致した地点を、ディスプレイ５０ａにリスト表示するものである。ここでリスト表示された地点が選択されると、Ｓ１０２へ移行する。
Ｓ１０２では、Ｓ１０１にて選択された地点を中心とする地図を表示する。このとき、地図上にはカーソル表示がなされており、カーソルが検索地点に重ねて表示されている。
【００２４】
続くＳ１０３では、「セット」ボタンが押されたか否かを判断する。本実施形態では、ディスプレイ５０ａに「セット」ボタンが表示されるようになっており、この部分がタッチされたか否かを、ディスプレイ５０ａと一体となっているタッチパネルによって判断する。ここで「セット」ボタンが押されたと判断された場合（Ｓ１０３：ＹＥＳ）、Ｓ１０４へ移行する。一方、「セット」ボタンが押されないうちは（Ｓ１０３：ＮＯ）、Ｓ１０２からの処理を繰り返す。
【００２５】
「セット」ボタンが押されたときに移行するＳ１０４では、カーソルの示す地点が特定の検索方法で検索された地点であるか否かを判断する。本実施形態において、特定の検索方法は、施設の名称に含まれる仮名文字を検索条件として入力する５０音検索、施設のジャンルを検索条件として入力するジャンル検索、および、施設の電話番号を検索条件として入力する電話番号検索となっている。なお、ここでいう電話番号検索は、例えば局番までの番号に基づく電話番号エリア検索を除く。すなわち、特定の検索方法とは、検索条件から地図データ中の施設情報を検索することでピンポイントに施設が検索されるものをいう。ここで特定の検索方法であると判断された場合（Ｓ１０４：ＹＥＳ）、Ｓ１０５にてカーソル地点の座標、住所（マップコード）、「名称情報」としての名称（ここでは施設名称）、および、電話番号を地図データから取得して記憶し、その後、本メモリ地点登録処理を終了する。一方、特定の検索方法でないと判断された場合（Ｓ１０４：ＮＯ）、例えば住所、郵便番号、あるいは、マップコードなどで検索された場合には、Ｓ１０６にてカーソル地点の座標および住所（マップコード）を地図データから取得して記憶し、その後、本メモリ地点登録処理を終了する。
【００２６】
なお、ここでは検索地点としてのカーソル地点をそのまま登録しているが、Ｓ１０２で表示されたカーソルを地図上に表示される「矢印」ボタンなどで移動させ、移動先のカーソル地点を登録できるようにしてもよい。また、地図の下部に「地点登録」ボタンが表示されるように構成し、この「地点登録」ボタンを押下することで、検索条件を入力することなく、車両の現在位置またはカーソル地点を登録できるようにしてもよい。これらの方法で地点登録された場合、Ｓ１０６と同様に、カーソル地点の座標および住所だけを登録するようにすることが例示される。
【００２７】
ところで、本実施形態では、メモリ地点（座標）に対応させて、「記号」、「名称」、「住所（マップコードを含む）」、「電話番号」などが記憶可能となっている（図５等参照）。ここで、これらの情報について説明しておく。
「記号」は、メモリ地点を地図上に表示するためのものである。記号の種類としては、デフォルトである「旗」の記号、「ハート」などのトランプ記号、「家」の記号など、種々のものが用意されている。メモリ地点登録にあたっては、デフォルトである「旗」の記号が設定される。
【００２８】
「名称」は、地図上に記号が表示される際、当該記号の周辺に表示されるものである。具体的には、地図上に名称を表示させる場合、図５に示す表示画面の中央位置にある「地図上の名称表示」（Ａで示した）で「する」を選択操作する。この名称は、特定の検索方法にて検索された地点をメモリ地点として登録する場合（図３中のＳ１０４：ＹＥＳ）、地図データから自動的に記憶される（Ｓ１０５）。
【００２９】
「住所」は、地図に予め設定されたエリアを示す情報であり、例えば「愛知県名古屋市中区付近」というような情報である。この住所は、座標情報により地図データを検索することによって自動的に取得される。メモリ地点が登録されると、住所が自動的に取得されて記憶される（図３中のＳ１０５、Ｓ１０６）。
「電話番号」は、メモリ地点に対応する電話番号であり、特定の検索方法にて検索された地点をメモリ地点として登録する場合には（図３中のＳ１０４：ＹＥＳ）、地図データから自動的に記憶される（Ｓ１０５）。
【００３０】
次に、登録されたメモリ地点を修正するメモリ地点修正処理について、図４に基づき説明する。
最初のＳ１１０では、メモリ地点が選択されたか否かを判断する。ここでメモリ地点が選択された場合（Ｓ１１０：ＹＥＳ）、Ｓ１１１へ移行する。一方、メモリ地点が選択されないうちは、以降の処理を実行せず、本メモリ地点修正処理を終了する。
【００３１】
Ｓ１１１では、メニュー表示を行う。この処理は、図５（ａ）に示すように、メモリ地点に関する情報を表示するものである。図５（ａ）では、Ｂで示すように記号は「ハート」になっており、Ｃで示すように住所は「愛知県名古屋市中区付近」となっている。
続くＳ１１２では、「変更」ボタンが押されたか否かを判断する。この処理は、図５（ａ）の右側の「変更」ボタンがタッチされたか否かを、ディスプレイ５０ａと一体となっているタッチパネルによって判断するものである。ここで「変更」ボタンが押されたと判断された場合（Ｓ１１２：ＹＥＳ）、Ｓ１１３にて変更処理を実行し、その後、本メモリ地点修正処理を終了する。一方、「変更」ボタンが押されないうちは（Ｓ１１２：ＮＯ）、Ｓ１１１の処理を繰り返す。
【００３２】
ここで、上述したメモリ地点修正処理について、図５を用いて具体的に説明する。メモリ地点が選択されると（図４中のＳ１１０：ＹＥＳ）メニュー表示が行われ（Ｓ１１１）、「変更」ボタンが押されたか否かが判断される（Ｓ１１２）。ここでは、「名称」の欄の右側にある「変更」ボタンが押されたものとして説明を続ける。「変更」ボタンが押されると変更処理に移行するのであるが（Ｓ１１２：ＹＥＳ、Ｓ１１３）、このときは、仮名の入力画面が表示される。この入力画面を使用して名称を入力可能となっており、漢字変換機能を適宜使用することによって、例えば図５（ｂ）中にＤで示すように「Ａさんの家」という名称を設定（あるいは変更）することができる。
【００３３】
ところで、メモリ地点登録処理およびメモリ地点修正処理について説明してきたが、特に、本実施形態は、メモリ地点の位置を変更するメモリ地点修正処理のうちのメモリ地点位置変更処理に特徴を有するものである。そこで次に、メモリ地点位置変更処理について説明する。このメモリ地点位置変更処理は、上述したメモリ地点修正処理において「住所」の欄の右側にある「変更」ボタン（図５参照）が押されたときに実行される。
【００３４】
最初のＳ１２０では、登録された地点を移動する。メモリ地点の移動は、地図上で行うことができるようになっている。具体的には、メモリ登録処理と同様、メモリ地点を中心とする地図がディスプレイ５０ａに表示される。このとき、地図上にはカーソル表示がなされており、最初はカーソルがメモリ地点に重ねて表示されている。そして、表示画面をタッチすることによってカーソルを移動させ、次に「セット」ボタンをタッチすることによってメモリ地点を地図上で移動させる。なお、ここではメニュー画面（図５参照）からの位置変更について説明したが、地図上でメモリ地点の記号をタッチして当該メモリ地点を選択状態とし、この記号をドラッグして移動させる構成としてもよい。このように直感的にメモリ地点を移動させられる構成とすれば、ユーザ操作が容易になるという点で有利である。
【００３５】
続くＳ１２１では、メモリ地点の「名称」が設定されているか否かを判断する。ここで設定されていると判断された場合（Ｓ１２１：ＹＥＳ）、Ｓ１２２へ移行する。一方、設定されていないと判断された場合（Ｓ１２１：ＮＯ）、図７中のＳ１２９へ移行する。
Ｓ１２２では、メモリ地点の「名称」が手動で変更されているか否かを判断する。ここで変更されていると判断された場合（Ｓ１２２：ＹＥＳ）、Ｓ１２３にてカーソル位置に対応する住所を検索し、Ｓ１２４へ移行する。一方、変更されていないと判断された場合（Ｓ１２２：ＮＯ）、図８中のＳ１３１へ移行する。
【００３６】
Ｓ１２４では、電話番号が設定されているか否かを判断する。ここで電話番号が設定されていると判断された場合（Ｓ１２４：ＹＥＳ）、Ｓ１２５へ移行する。一方、電話番号が設定されていないと判断された場合（Ｓ１２４：ＮＯ）、Ｓ１２６にて「名称」を承継し住所を変更して、その後、本メモリ地点位置変更処理を終了する。すなわち、手動で名称が設定されている場合には、メモリ地点の「名称」を承継する。
【００３７】
電話番号が設定されている場合に移行するＳ１２５では、携帯電話の番号であるか否かを判断する。この処理は、電話番号の最初の３桁が「０９０」、「０８０」あるいは「０７０」であることを判断することで行われる。ここで携帯電話の番号であると判断された場合（Ｓ１２５：ＹＥＳ）、携帯電話の番号はメモリ地点に依存しないため、Ｓ１２７にて名称および電話番号を承継し住所を変更して、その後、本メモリ地点位置変更処理を終了する。一方、携帯電話の番号でないと判断された場合（Ｓ１２５：ＮＯ）、Ｓ１２８にて名称を承継し電話番号を削除し住所を変更して、その後、本メモリ地点位置変更処理を終了する。
【００３８】
上述のＳ１２１にて否定判断された場合に移行する図７中のＳ１２９では、カーソル位置に対応する住所を検索する。続くＳ１３０では住所を変更して、その後、本メモリ地点位置変更処理を終了する。すなわち、名称が設定されていない場合には、住所のみを変更する。
上述のＳ１２２にて否定判断された場合に移行する図８中のＳ１３１では、カーソル位置に対応する住所および施設を検索する。Ｓ１２２にて否定判断されるのは、メモリ地点の登録時に名称（施設の名称）および電話番号が自動的に設定されているケースである。
【００３９】
次のＳ１３２では、施設が検索されたか否かを判断する。ここで施設が検索されたと判断された場合（Ｓ１３２：ＹＥＳ）、Ｓ１３３にて名称（施設の名称）、電話番号、住所を変更して、本メモリ地点位置変更処理を終了する。一方、施設が検索されなかったと判断された場合（Ｓ１３２：ＮＯ）、Ｓ１３４にて名称および電話番号を削除し住所を変更して、本メモリ地点位置変更処理を終了する。
【００４０】
ここで、メモリ地点位置変更処理について説明したが、メモリ地点位置変更処理についての理解を容易にするため、図５に示す例を用いて、具体的な説明を加える。ここでは最初に図９（ａ）中にＥで示すように「名称」がユーザによって「Ａさんの家」と変更されている場合を説明し、次に図９（ｂ）中にＦ、Ｇで示すように、「名称」としての「施設Ｓ」およびその施設の電話番号が、メモリ登録時点で自動的に記憶されている場合を説明する。
【００４１】
図９（ａ）中にＥで示すように、名称が「Ａさんの家」と変更されているときは（図６中のＳ１２１：ＹＥＳ、Ｓ１２２：ＹＥＳ）、カーソル位置に対応する住所が検索されて（Ｓ１２３）、「住所」が変更され「名称」は承継される（Ｓ１２６、Ｓ１２７、Ｓ１２８）。具体的には、図１０（ａ）中にＨ、Ｉで示すように、名称についてはそのまま「Ａさんの家」となり、「住所」だけが「愛知県名古屋市中村区付近」と変更される。図５（ａ）中にＡで示した「地図上の名称表示」が「する」になっている場合、地図上では、図１０（ｂ）に示すように、メモリ地点は移動することになるが、名称は「Ａさんの家」と表示される。なお、電話番号が設定されている場合（Ｓ１２４：ＹＥＳ）、携帯電話の番号であれば（Ｓ１２５：ＹＥＳ）電話番号も承継される。携帯電話の番号でなければ（Ｓ１２５：ＮＯ）電話番号は削除される。
【００４２】
一方、図９（ｂ）中にＦで示すように名称「施設Ｓ」と施設名称になっているときは、メモリ登録時点で自動的に記憶されたものであるため（図６中のＳ１２２：ＮＯ）、施設が検索されなければ（図８中のＳ１３２：ＮＯ）、名称および電話番号が削除され、住所のみが変更される（Ｓ１３４）。具体的には、図１１（ａ）中にＪで示すように、名称および電話番号の欄が空欄となる。地図上では、図１１（ｂ）に示すように、メモリ地点の移動に伴って、名称が表示されなくなる。一方、移動先に施設があるような場合、施設が検索されて（Ｓ１３２：ＹＥＳ）、名称および電話番号が変更される。具体的には、図１２（ａ）にＫで示すように、名称が施設名称「施設Ｔ」となり、その施設の電話番号が記憶される。図５（ａ）中にＡで示した「地図上の名称表示」が「する」になっている場合、地図上では、図１２（ｂ）に示すように、メモリ地点の移動に伴って、名称が「施設Ｔ」と表示される。
【００４３】
なお、もともと名称が設定されていない場合（図６中のＳ１２１：ＮＯ）、住所のみが変更される（図７中のＳ１３０）。
なお、本実施形態における地図データ記憶部３０が「地図データ記憶手段」を構成し、操作スイッチ群４０が「操作手段」を構成する。また、本実施形態における制御部１０が「メモリ地点登録手段」、「名称情報記憶手段」および「メモリ地点位置変更手段」を構成する。そして、図３に示したメモリ地点登録処理が「メモリ地点登録手段」の機能としての処理を構成し、図３中のＳ１０５で自動的に名称情報を記憶する処理、図４中のＳ１１３の変更処理、図６中のＳ１２１、Ｓ１２２、Ｓ１２６〜Ｓ１２８の処理、図７中のＳ１３０の処理、および、図８中のＳ１３１〜Ｓ１３４の処理が「名称情報記憶手段」の機能としての名称情報記憶処理を構成し、図６中のＳ１２０の処理が「メモリ地点位置変更手段」の機能としてのメモリ地点位置変更処理を構成する。
【００４４】
以上詳述したように、本実施形態の車載用ナビゲーション装置１によれば、名称情報としての「名称」が手動で変更されているときは（図６中のＳ１２１：ＹＥＳ、Ｓ１２２：ＹＥＳ）、メモリ地点の名称は承継される（Ｓ１２６、Ｓ１２７、Ｓ１２８）。つまり、名称情報がユーザによって入力されたものである場合には、メモリ地点の変更に際し、その名称情報をそのまま用いるのである。これによって、登録されたメモリ地点の位置を変更する場合に、メモリ地点に対応付けられる名称情報（本実施形態ではメモリ地点の「名称」）が適切なものとなり、ユーザが違和感を抱くことを抑制できる。
また、メモリ地点の「電話番号」も携帯電話の番号である場合（図６中のＳ１２５：ＹＥＳ）、すなわち地図に依存しないものである場合には、承継される（Ｓ１２７）。これによって、メモリ地点の電話番号も適切なものとなる。
【００４５】
また、本実施形態では、メモリ登録時点で「名称」が施設名称として自動的に記憶されているときは（図６中のＳ１２１：ＹＥＳ、Ｓ１２２：ＮＯ）、カーソル位置に対応する住所および施設を検索し（図８中のＳ１３１）、施設が検索されなければ（Ｓ１３２：ＮＯ）、名称および電話番号を削除する（Ｓ１３４）。一方、施設が検索されれば（Ｓ１３２：ＹＥＳ）、当該施設の名称および電話番号へ変更する（Ｓ１３３）。これによって、メモリ地点に対応付けられる名称情報がさらに適切なものとなる。
【００４６】
さらにまた、本実施形態では、メモリ地点の「名称」が、地図上に表示可能となっている。このような構成を採用する場合、不適切な「名称」がメモリ地点に対応付けられていると、当該「名称」が地図上に表示されることで、ユーザの違和感を増長させるおそれがある。この点、本実施形態では、メモリ地点に対応付けられる名称情報を適切なものにできるため、このような構成を採用する本実施形態においては特に、効果が際立つ。
【００４７】
上記実施形態では車載用ナビゲーション装置１として実施していたが、車載用のものに限定されず、例えばＧＰＳ付きの携帯電話などのナビゲーション装置として実施してもよい。あるいは、ナビゲーション機能を有していない地図表示装置として実施してもよい。
以上、本発明は、上記実施形態になんら限定されるものではなく、発明の趣旨を逸脱しない範囲において種々の形態で実施可能である。
【図面の簡単な説明】
【００４８】
【図１】本発明の実施形態の車載用ナビゲーション装置の構成を示すブロック図である。
【図２】車載用ナビゲーション装置におけるナビゲーション機能の概略を示すフローチャートである。
【図３】車載用ナビゲーション装置におけるメモリ地点登録処理を示すフローチャートである。
【図４】車載用ナビゲーション装置におけるメモリ地点修正処理を示すフローチャートである。
【図５】メモリ地点修正処理のメニュー画面を例示する説明図である。
【図６】車載用ナビゲーション装置におけるメモリ地点位置変更処理を示すフローチャートの主要部分である。
【図７】車載用ナビゲーション装置におけるメモリ地点位置変更処理を示すフローチャートの分岐部分である。
【図８】車載用ナビゲーション装置におけるメモリ地点位置変更処理を示すフローチャートの分岐部分である。
【図９】（ａ）は名称がユーザによって入力されていることを例示する説明図であり、（ｂ）はメモリ登録時点で自動的に名称および電話番号が記憶されていることを例示する説明図である。
【図１０】（ａ）はメモリ地点位置変更処理に伴う名称情報の承継を示す説明図であり、（ｂ）は、対応する地図上の表示を示す説明図である。
【図１１】（ａ）はメモリ地点位置変更処理に伴う名称情報の削除を示す説明図であり、（ｂ）は、対応する地図上の表示を示す説明図である。
【図１２】（ａ）はメモリ地点位置変更処理に伴う名称情報の変更を示す説明図であり、（ｂ）は、対応する地図上の表示を示す説明図である。
【符号の説明】
【００４９】
１：車載用ナビゲーション装置、１０：制御部（メモリ地点登録手段、名称情報記憶手段、メモリ地点位置変更手段）、２０：位置検出器、２１：地磁気センサ、２２：ジャイロスコープ、２３：距離センサ、２４：ＧＰＳ受信機、３０：地図データ記憶部（地図データ記憶手段）、４０：操作スイッチ群（操作手段）、５０：描画部、５０ａ：ディスプレイ、６０：音声出力部、６０ａ：スピーカ。
【図１】
0005088571.tif 000002
【図２】
0005088571.tif 000003
【図３】
0005088571.tif 000004
【図４】
0005088571.tif 000005
【図５】
0005088571.tif 000006
【図６】
0005088571.tif 000007
【図７】
0005088571.tif 000008
【図８】
0005088571.tif 000009
【図９】
0005088571.tif 000010
【図１０】
0005088571.tif 000011
【図１１】
0005088571.tif 000012
【図１２】
0005088571.tif 000013